(57)【要約】【課題】特に床面積６．２５ｍ2以上の大型のユニットルームに適した床構造および床施工方法の提供。【解決手段】角パイプ１０を格子状に配置して形成されたフレーム１であり、下部に高さ調整ボルト１１を有するフレーム１と、フレーム１上に配設され、フレーム１に固定される下地材２と、下地材２上に配設され、下地材２に接着される仕上材３とを含む。【選択図】図１
2019007211.tif 000002
【特許請求の範囲】
【請求項１】
角パイプを格子状に配置して形成されたフレームであり、下部に高さ調整可能な脚部を有するフレームと、
前記フレーム上に配設され、前記フレームに固定される下地材と、
前記下地材上に配設され、前記下地材に接着される仕上材と
を含むユニットルームの床構造。
【請求項２】
角パイプを格子状に配置して形成されたフレームであり、下部に高さ調整可能な脚部を有するフレームを配設し、前記高さ調整可能な脚部により当該フレームの高さ調整を行う工程と、
前記フレームの格子状の隙間から前記フレームの下方に配管を行う工程と、
前記フレーム上に下地材を配設し、前記フレームに固定する工程と、
前記下地材の継ぎ目に目地材を施工する工程と、
前記下地材上に仕上材を配設し、前記下地材上に接着する工程と
を含むユニットルームの床施工方法。
【発明の詳細な説明】
【技術分野】
【０００１】
本発明は、ユニット式浴室やユニット式シャワー室等のユニットルームの床構造、特に床面積６．２５ｍ2以上の大型のユニットルームの床構造および床施工方法に関する。
【背景技術】
【０００２】
ユニット式浴室やユニット式シャワー室等のユニットルームの床構造として、例えば特許文献１には、長方形状のフレーム部と洗い場パンと浴槽パンとからなり、フレーム部に仕切り部が設けられるとともに、この仕切り部によって洗い場パン載置部と浴槽パン載置部とに区画されたユニットバスの床構造が開示されている。また、洗い場パン載置部には、互いに直交する桟部が架設され、フレーム部の四隅および仕切り部の下部には複数本の高さ調整ボルトが垂設されている。また、この床構造では、洗い場パンを載置する前に桟部の間から下地の点検や排水系統の接続等を容易に行うことが可能となっている。
【先行技術文献】
【特許文献】
【０００３】
【特許文献１】特開２００６−１６９８０５号公報
【発明の概要】
【発明が解決しようとする課題】
【０００４】
ところで、この種のユニットルームは、一般的には床面サイズが大きいものでも２．０ｍ×２．４ｍ程度であり、床面積４．８ｍ2以下である。この程度の大きさのものであれば、洗い場パンおよび浴槽パンの大きさもそれほど大きくないため、工場内で予め成型したものを現場へ運搬して、組み立てを行うことは可能である。しかしながら、床面サイズが２．５ｍ×２．５ｍ程度、すなわち床面積６．２５ｍ2以上の大型のユニットルームとなると、洗い場パンおよび浴槽パンが大きすぎるため、成型されたパンの強度が不足したり、運搬および組み立てが困難になったりという問題が発生する。
【０００５】
そこで、本発明においては、特に床面積６．２５ｍ2以上の大型のユニットルームに適した床構造および床施工方法を提供することを目的とする。
【課題を解決するための手段】
【０００６】
本発明のユニットルームの床構造は、角パイプを格子状に配置して形成されたフレームであり、下部に高さ調整可能な脚部を有するフレームと、フレーム上に配設され、フレームに固定される下地材と、下地材上に配設され、下地材に接着される仕上材とを含むものである。
【０００７】
本発明のユニットルームの床構造によれば、高さ調整可能な脚部により当該フレームの高さ調整を行いながらフレームを配設し、フレームの格子状の隙間からフレームの下方に配管を行うことが可能である。また、フレーム上に、従来のように予め成型されたパンを設置するのではなく、下地材を配設し、フレームに固定した後、下地材の継ぎ目に目地材を施工し、下地材上に仕上材を配設し、下地材上に接着することにより、ユニットルームの床が形成される。
【０００８】
本発明のユニットルームの床施工方法は、角パイプを格子状に配置して形成されたフレームであり、下部に高さ調整可能な脚部を有するフレームを配設し、高さ調整可能な脚部により当該フレームの高さ調整を行う工程と、フレームの格子状の隙間からフレームの下方に配管を行う工程と、フレーム上に下地材を配設し、フレームに固定する工程と、下地材の継ぎ目に目地材を施工する工程と、下地材上に仕上材を配設し、下地材上に接着する工程とを含むことを特徴とする。
【発明の効果】
【０００９】
本発明によれば、高さ調整可能な脚部により当該フレームの高さ調整を行いながらフレームを配設し、フレームの格子状の隙間からフレームの下方に配管を行うことが可能であるため、高さ調整および配管が容易であり、施工性が向上する。また、フレーム上に、従来のように予め成型されたパンを設置するのではなく、下地材を配設し、フレームに固定した後、下地材の継ぎ目に目地材を施工し、下地材上に仕上材を配設し、下地材上に接着することにより、ユニットルームの床が形成されるので、現場への運搬経路に応じた大きさにフレーム、下地材および仕上材を分割することができ、重量も軽くなるため、さらに施工性が向上する。
【図面の簡単な説明】
【００１０】
【図１】本発明の実施の形態におけるユニットルームの床構造を示す分解斜視図である。
【図２】本発明の実施の形態におけるユニットルームの床の平面図である。
【図３】図２のＡ−Ａ断面図である。
【図４】図２のＩＶ部拡大図である。
【発明を実施するための形態】
【００１１】
図１は本発明の実施の形態におけるユニットルームの床構造を示す分解斜視図、図２は本発明の実施の形態におけるユニットルームの床の平面図、図３は図２のＡ−Ａ断面図、図４は図３のＩＶ部拡大図である。
【００１２】
図１に示すように、本発明の実施の形態におけるユニットルームの床構造は、主に、角パイプ１０を格子状に配置して形成されたフレーム１と、フレーム１上に配設される下地材２と、下地材２上に配設される仕上材３とから構成される。
【００１３】
フレーム１を構成する角パイプ１０は、５０ｍｍ角の鋼管にユニクロめっきを施したものである。なお、本実施形態においては、フレーム１の格子状の隙間の間隔は、３００ｍｍ角〜６００ｍｍ角としている。また、本実施形態においては、フレーム１は、第１〜第６のフレーム１Ａ，１Ｂ，１Ｃ，１Ｄ，１Ｅ，１Ｆの６分割としている。また、第１〜第６のフレーム１Ａ〜１Ｆのそれぞれの下部には、下部に高さ調整可能な脚部としての高さ調整ボルト１１を備えている。第１〜第６のフレーム１Ａ〜１Ｆの大きさは、現場への運搬経路に応じて自由に設定することが可能であるが、平面視で２０００ｍｍ×２０００ｍｍ（４ｍ2）以下程度とする。
【００１４】
下地材２は、ＦＲＰ（繊維強化プラスチック）製である。下地材２の大きさは、現場への運搬経路に応じた大きさとし、本実施形態においては、平面視で６００ｍｍ×２０００ｍｍ（１．２ｍ2）以下程度としている。
【００１５】
仕上材３は、ＦＲＰ（繊維強化プラスチック）製である。仕上材３の大きさは、現場への運搬経路に応じた大きさとし、本実施形態においては、平面視で２０００ｍｍ×２０００ｍｍ（４ｍ2）以下程度としている。
【００１６】
次に、本発明の実施の形態におけるユニットルームの床施工方法について説明する。
図１に示すように、まず本実施形態におけるユニットルームの設置場所に、第１〜第６のフレーム１Ａ〜１Ｆを配置し、ボルトにより連結し、フレーム１を設置する。このとき、高さ調整ボルト１１によりフレーム１の高さ調整を行うが、高さ調整ボルト１１の操作は、フレーム１の格子状の隙間１２から行うことが可能であるため、容易である。特に、床下の高さが低いときに有効である。
【００１７】
次に、フレーム１の下方に、グレーチング枠や排水ピットのトラップの排水の配管を行う。ここでもフレーム１の格子状の隙間から作業を行うことができるため、確実な配管工事を行うことが可能である。
【００１８】
次に、フレーム１の上に下地材２を配設し、フレーム１に接着剤およびビスにより固定し、１次防水する。そして、グレーチング枠の継ぎ目に目地材（接着剤）を施工し、２次防水する。
【００１９】
次に、下地材２上に仕上材３を配設し、下地材２上に接着剤により接着する。そして、仕上材３の継ぎ目に目地材を施工し、３次防水する。
【００２０】
以上のように、本実施形態におけるユニットルームの床構造によれば、高さ調整ボルト１１によりフレーム１の高さ調整を行いながらフレーム１を配設し、フレーム１の格子状の隙間からフレーム１の下方に配管を行うことが可能であるため、高さ調整および配管が容易であり、施工性が向上する。
【００２１】
また、フレーム１上に、従来のように予め成型されたパンを設置するのではなく、下地材２を配設し、フレーム１に固定した後、下地材２の継ぎ目に目地材を施工し、下地材２上に仕上材３を配設し、下地材２上に接着することにより、ユニットルームの床が形成されるので、現場への運搬経路に応じた大きさにフレーム１、下地材２および仕上材３を分割することができ、重量も軽くなるため、さらに施工性が向上する。
【産業上の利用可能性】
【００２２】
本発明は、ユニット式浴室やユニット式シャワー室等のユニットルームの床構造および床施工方法として有用であり、特に、床面積６．２５ｍ2以上の大型のユニットルームの床構造および床施工方法として好適である。
【符号の説明】
【００２３】
１  フレーム
２  下地材
３  仕上材
１０  角パイプ
１１  高さ調整ボルト
【図１】
2019007211.tif 000003
【図２】
2019007211.tif 000004
【図３】
2019007211.tif 000005
【図４】
2019007211.tif 000006